(57)【要約】【課題】出幅切り詰め作業などにより妻梁の端部を切断した場合でも新たな加工作業が発生しない屋外構造体及び屋外構造体の施工方法を提供する。【解決手段】建物躯体３０から屋外側に突出して設けられる妻梁２０と、平面視で前記妻梁２０と直交するように前記建物躯体３０に固定される根太掛け１１と、前記建物躯体３０に前記妻梁２０を固定する第１の固定金具２１，２２と、を備える。前記第１の固定金具２１，２２は、前記根太掛け１１よりも上方に所定間隔Ｗを設けて前記建物躯体３０に固定される。【選択図】図６
2014066108.tif 000002
【特許請求の範囲】
【請求項１】
建物躯体から屋外側に突出して設けられる妻梁と、
平面視で前記妻梁と直交するように前記建物躯体に固定される根太掛けと、
前記建物躯体に前記妻梁を固定する第１の固定金具と、
を備え、
前記第１の固定金具は、前記根太掛けよりも上方に所定間隔を設けて前記建物躯体に固定されることを特徴とする、屋外構造体。
【請求項２】
前記妻梁の屋外側端部を支持する支持材と、
前記支持材と前記妻梁とを固定するための第２の固定金具と、
を更に備え、
前記第２の固定金具は、前記所定間隔と同じ長さの位置出し部を備えることで前記第１の固定金具の位置出しに使用可能であることを特徴とする、請求項１記載の屋外構造体。
【請求項３】
前記第１の固定金具と前記第２の固定金具とが左右対称に形成されていることを特徴とする、請求項２記載の屋外構造体。
【請求項４】
前記妻梁は、床材の端部を呑み込んで保持する中空柱状の支持部を備え、
前記第１の固定金具は、前記支持部の中空内において固定されることを特徴とする、請求項１〜３のいずれかに記載の屋外構造体。
【請求項５】
第１の固定金具によって妻梁の屋内側端部を建物躯体に固定し、この妻梁の屋外側端部を第２の固定金具によって支持材に固定する屋外構造体の施工方法であって、
根太掛けを前記建物躯体に固定し、
前記第２の固定金具を前記根太掛けの上部に係合させ、
前記根太掛けの上部に係合させた前記第２の固定金具の上部に前記第１の固定金具を当接させることで前記第１の固定金具の位置出しを行うことを特徴とする、屋外構造体の施工方法。
【発明の詳細な説明】
【技術分野】
【０００１】
本発明は、バルコニーなどの屋外構造体に関する。
【背景技術】
【０００２】
従来の一般的なバルコニーは、窓開口部の両側下部から屋外側に突出して設けられた妻梁を備えており、こうした妻梁は固定用の金具により建物躯体に固定されている。
【０００３】
特許文献１には、妻梁の端部に妻梁用ブラケットを固定し、この妻梁用ブラケットを介して妻梁を根太掛と共に外壁に取り付けた構造が開示されている。この特許文献１記載の構造においては、妻梁用ブラケットを根太掛と係合させることにより、妻梁用ブラケット及び妻梁の位置出しを行っている（段落００１２、図４等参照）。このように根太掛けを基準として妻梁の位置出しを行えば、位置出しが容易となり、作業性を高めることができる。
【０００４】
このような従来の構造においては、妻梁、妻梁を固定するための金具、根太掛けの３つが同じ高さ位置に配置されるため、互いにオーバーラップする箇所が存在し、オーバーラップした箇所での干渉を避けるために切り欠き加工がなされている。例えば上記した特許文献１記載の構造においては、妻梁に切り欠きを設けることで妻梁用ブラケットを逃げるように形成されている。
【先行技術文献】
【特許文献】
【０００５】
【特許文献１】特許第２７６９６７７号公報
【発明の概要】
【発明が解決しようとする課題】
【０００６】
しかし、上記したように妻梁の端部に切り欠き加工を施した場合、出幅切り詰めにより妻梁の端部を切断すると妻梁の端部の切り欠きがなくなってしまう。このため、出幅切り詰め後に妻梁の端部に新たに切り欠きを設けるための加工作業が発生し、現場対応が煩雑となっていた。
【０００７】
そこで、本発明は、出幅切り詰めにより妻梁の端部を切断した場合でも新たな加工作業が発生しない屋外構造体及び屋外構造体の施工方法を提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載の屋外構造体は、建物躯体から屋外側に突出して設けられる妻梁と、平面視で前記妻梁と直交するように前記建物躯体に固定される根太掛けと、前記建物躯体に前記妻梁を固定する第１の固定金具と、を備え、前記第１の固定金具は、前記根太掛けよりも上方に所定間隔を設けて前記建物躯体に固定されることを特徴とする。
【００１１】
（請求項２）
請求項２に記載の発明は、上記した請求項１記載の発明の特徴点に加え、以下の点を特徴とする。
【００１２】
すなわち、前記妻梁の屋外側端部を支持する支持材と、前記支持材と前記妻梁とを固定するための第２の固定金具と、を更に備え、前記第２の固定金具は、前記所定間隔と同じ長さの位置出し部を備えることで前記第１の固定金具の位置出しに使用可能であることを特徴とする。
【００１３】
（請求項３）
請求項３に記載の発明は、上記した請求項２記載の発明の特徴点に加え、以下の点を特徴とする。
【００１４】
すなわち、前記第１の固定金具と前記第２の固定金具とが左右対称に形成されていることを特徴とする。
【００１５】
（請求項４）
請求項４に記載の発明は、上記した請求項１〜３のいずれかに記載の発明の特徴点に加え、以下の点を特徴とする。
【００１６】
すなわち、前記妻梁は、床材の端部を呑み込んで保持する中空柱状の支持部を備え、前記第１の固定金具は、前記支持部の中空内において固定されることを特徴とする。
【００１７】
（請求項５）
請求項５に記載の発明は、以下の点を特徴とする。
【００１８】
すなわち、請求項５に記載の屋外構造体の施工方法は、第１の固定金具によって妻梁の屋内側端部を建物躯体に固定し、この妻梁の屋外側端部を第２の固定金具によって支持材に固定する屋外構造体の施工方法であって、根太掛けを前記建物躯体に固定し、前記第２の固定金具を前記根太掛けの上部に係合させ、前記根太掛けの上部に係合させた前記第２の固定金具の上部に前記第１の固定金具を当接させることで前記第１の固定金具の位置出しを行うことを特徴とする。
【発明の効果】
【００１９】
請求項１に記載の発明は上記の通りであり、建物躯体に妻梁を固定する第１の固定金具が、根太掛けよりも上方に所定間隔を設けて建物躯体に固定されている。このため、第１の固定金具と妻梁とを根太掛けに干渉しない位置に配置できるので、妻梁に切り欠き加工が不要であり、出幅切り詰め作業などにより妻梁の端部を切断した場合でも新たな加工作業が発生しない。
【００２０】
また、妻梁に切り欠き加工が必要ないため、妻梁を建物躯体に密接させることができ、雨仕舞の良い屋外構造体を提供することができる。
【００２１】
また、請求項２に記載の発明は上記の通りであり、第２の固定金具を第１の固定金具の位置出しに使用可能である。よって、第１の固定金具が直接的に根太掛けと係合しないにもかかわらず、第２の固定金具を使用して間接的に根太掛けを基準とした位置出しを行えるので、容易に位置出しを行うことができる。しかも、このような位置出しを、妻梁と支持材とを固定するために使用される第２の固定金具で行うため、位置出し用の別の部材を用意する必要がない。
【００２２】
また、請求項３に記載の発明は上記の通りであり、前記第１の固定金具と前記第２の固定金具とが左右対称に形成されている。このため、左右の妻梁に使用する固定金具をそれぞれ用意しなくても、同じ固定金具を方向を変えて使用すれば左右の妻梁に対応できるので、部品の種類を減らすことができ、製造コストの上昇を抑えることができる。
【００２３】
また、請求項４に記載の発明は上記の通りであり、床材を支持する支持部の中空内に第１の固定金具を固定したので、妻梁と固定金具とが干渉せず、妻梁に固定金具をさけるための切り欠き加工が不要である。
【００２４】
更には、固定金具が床材よりも上方で固定されるため、屋外構造体を傾斜屋根上に設けた場合でも加工作業の発生率を低下させることができる。すなわち、屋外構造体を傾斜屋根上に設ける場合、傾斜屋根や障害物を避けるために妻梁の屋内側端部を切り欠くなどの加工が必要となる場合がある。例えば、窓開口の下端から屋根面までの上下幅が狭い場合、この狭い部分に妻梁を入り込ませることができないため、妻梁の屋内側端部の下部を切り欠き加工する必要がある。このような場合でも、第１の固定金具は床材を支持する支持部の中空内に固定されており、床材よりも下方に突出することはないので、第１の固定金具の切り詰め加工が発生する可能性は低い。よって、屋外構造体を屋根置きで使用した場合の施工性を向上させることができる。
【００２５】
また、請求項５に記載の発明は上記の通りであり、根太掛けの上部に係合させた第２の固定金具の上部に第１の固定金具を当接させることで第１の固定金具の位置出しを行うので、上記した屋外構造体の発明と同様の効果を得ることができる。
【図面の簡単な説明】
【００２６】
【図１】バルコニーの平面断面図である。
【図２】図１のＡ−Ａ'断面図である。
【図３】図１のＢ−Ｂ'断面図である。
【図４】右固定金具の斜視図である。
【図５】左固定金具の斜視図である。
【図６】左固定金具を右固定金具の位置出しに使用して、右固定金具を建物躯体に固定する様子を示す図である。
【図７】根太掛け、妻梁、固定金具の位置関係を示す断面図である。
【図８】バルコニーの主な構造を示す分解斜視図である。
【発明を実施するための形態】
【００２７】
本発明の実施形態について、屋外構造体としてのバルコニー１０を例に説明する。
【００２８】
本実施形態に係るバルコニー１０は、建物開口の屋外側に設けられるものであり、図１及び図８に示すように、建物開口の両側下部から屋外側に突出して設けられる妻梁２０と、建物躯体３０に沿って窓開口の下部に固定される根太掛け１１と、この根太掛け１１の上に固定されて屋外方向に突出する根太１２と、バルコニー１０の屋外側の端において立設する柱１４と、柱１４と柱１４との間に架設される前桁１６と、バルコニー１０の床面を構成する床材１７と、を備えて構成される。
【００２９】
妻梁２０は、床材１７の端部荷重を支持する部材であり、屋内側の端部が建物躯体３０に固定されるとともに、屋外側の端部が柱１４に固定されて支持されている。この妻梁２０は、図２及び図３に示すように、建物躯体３０に固定されて床材１７の端部荷重を支持する支持部２０ａと、この支持部２０ａの下方に設けられる化粧部２０ｂと、を備えている。
【００３０】
支持部２０ａは、中空柱状であり、側方から床材１７を呑み込ませて保持するように形成されている。後述する固定金具２１，２２は、この支持部２０ａの中空内の上方に偏った位置において、支持部２０ａの側壁部２０ｄにボルト固定される。また、支持部２０ａの下端付近からは、内方に張出部２０ｃが略水平方向に張り出し形成されている。この張出部２０ｃは、支持部２０ａの中空部の下辺をなしており、中空部に呑み込ませた床材１７の端部荷重を上面で受けるものである。
【００３１】
化粧部２０ｂは、支持部２０ａの下方に垂下する板状部であり、図７に示すように、側面から見たときに根太掛け１１や根太１２が露出しないように側面を覆っている。この化粧部２０ｂの側面は、上記した支持部２０ａの側面と略面一となるように形成されている。
【００３２】
根太掛け１１は、建物躯体３０に沿って水平方向に取り付けられる部材であり、図１に示すように、平面視で妻梁２０と直交するように建物躯体３０に固定されている。この根太掛け１１は、根太１２の端部を載置して固定できるように屋外側に張り出した突出縁部１１ａを備えている。
【００３３】
根太１２は、床材１７の荷重を下方から支持するための部材であり、屋内側の端部が根太固定金具１３によって根太掛け１１に固定されるとともに、屋外側の端部が根太固定金具１３によって前桁１６に固定されて支持されている。
【００３４】
柱１４は、バルコニー１０の屋外側の端において荷重を支持するための支持材であり、下端部に設けられた台部１４ａによって屋根面の上に載置、固定されている。この柱１４と柱１４との間、及び、柱１４と建物躯体３０との間には、落下防止のために複数の格子材１５が所定間隔で設けられている。この格子材１５は、前桁１６または妻梁２０に固定され、この格子材１５の上端には手すり１８が取り付けられている。
【００３５】
前桁１６は、柱１４と柱１４との間に架設されるものであって、両端部がそれぞれ柱１４の対向する面に固定されて支持されている。この前桁１６は、バルコニー１０の前面下部を覆うように設けられている。
【００３６】
床材１７は、例えば内部を中空にした合成樹脂製の細長板状成形体であり、両端部が妻梁２０で支持されるとともに、下部を根太１２で支持されている。この床材１７は、図４に示すように、隣接する床材１７の間に隙間ができないように互いに係合して配置され、バルコニー１０の床面を形成している。
【００３７】
ところで、上記した妻梁２０は、図４に示す右固定金具２１、または、図５に示す左固定金具２２によって建物躯体３０及び柱１４に固定されている。
【００３８】
この右固定金具２１及び左固定金具２２は、妻梁２０の両端部の固定に使用され、一方の固定金具の対向する位置に他方の固定金具が使用されるようになっている。具体的には、図１に示すように、右固定金具２１は、室内側を向いて右側の妻梁２０を建物躯体３０に固定するために使用され、また、室外側を向いて右側の妻梁２０を柱１４に固定するために使用される。また、左固定金具２２は、室内側を向いて左側の妻梁２０を建物躯体３０に固定するために使用され、また、室外側を向いて左側の妻梁２０を柱１４に固定するために使用される。
【００３９】
右固定金具２１は、図４に示すように、建物躯体３０または柱１４に固定するための固定片２３と、妻梁２０に固定するための支持片２７と、からなる平面視Ｌ字形の金属製部材である。固定片２３には、３つの固定孔２４が穿設されており、この固定孔２４を貫通するネジ等により建物躯体３０または柱１４に固定できるようになっている。支持片２７には、２つの妻梁固定用孔２８が穿設されており、この妻梁固定用孔２８を貫通するボルトにより妻梁２０に固定できるようになっている。
【００４０】
なお、固定片２３の一方の角部は、略直角に切り欠かれて係合部２６を形成している。そして、切り欠かれずに残った固定片２３の側縁は、上下に所定の長さを持った位置出し部２５を形成している。この位置出し部２５は、後述する位置出しに使用されるものである。
【００４１】
左固定金具２２は、図５に示すように、右固定金具２１と左右対称に形成された部材であり、右固定金具２１と同様に、固定片２３、支持片２７、固定孔２４、係合部２６、位置出し部２５、妻梁固定用孔２８を備えているが、その位置及び形状が右固定金具２１とは左右逆となっている。
【００４２】
これらの右固定金具２１及び左固定金具２２は、係合部２６が上側にくるように建物躯体３０または柱１４に固定される。そして、右固定金具２１及び左固定金具２２の支持片２７を妻梁２０の支持部２０ａの中空部内に挿入し、右固定金具２１及び左固定金具２２の上面に妻梁２０の支持部２０ａの上辺部を載置した状態で、右固定金具２１及び左固定金具２２が妻梁２０に固定される。このように、右固定金具２１及び左固定金具２２の上面で妻梁２０を受けることにより、右固定金具２１及び左固定金具２２と妻梁２０との固定が容易であるとともに、右固定金具２１及び左固定金具２２による妻梁２０の支持が確実なものとなっている。
【００４３】
本実施形態においては、この右固定金具２１及び左固定金具２２を使用して妻梁２０を固定する際に、右固定金具２１及び左固定金具２２のいずれか一方の固定金具の位置出しを、他方の固定金具を使用して行うようにしている。
【００４４】
図６は、屋内側を向いて右側の妻梁２０を建物躯体３０に固定する様子を示す図である。この図６を参照しつつ、右固定金具２１の位置出しを、左固定金具２２を使用して行う手順について説明する。
【００４５】
まず、図６（ａ）が示すように、根太掛け１１を建物躯体３０に固定し、その根太掛け１１の上部に左固定金具２２を載置する。このとき、左固定金具２２の係合部２６を下に向けて根太掛け１１の上角部に係合させる。これにより、左固定金具２２の上端部が、位置出し部２５の高さ分だけ根太掛け１１よりも上方に位置した状態となる。
【００４６】
そして、図６（ｂ）が示すように、左固定金具２２の上部に右固定金具２１を当接させる。これにより、右固定金具２１は、位置出し部２５の高さ分だけ根太掛け１１よりも上方に位置した状態となる。
【００４７】
その後、図６（ｃ）が示すように、右固定金具２１をタッピングネジ２９で建物躯体３０に固定する。右固定金具２１が固定できたら、図６（ｄ）が示すように、左固定金具２２を取り除けばよい。このようにすることで、右固定金具２１は、根太掛け１１よりも上方に位置出し部２５の長さ分の間隔Ｗを設けて取り付けられる。
【００４８】
なお、位置出しに使用された左固定金具２２は、上記手順により取付られた右固定金具２１と対向する妻梁２０の屋外側端部において、妻梁２０と柱１４との固定に使用される。
【００４９】
そして、右固定金具２１及び左固定金具２２が固定されたら、その上に妻梁２０を架橋してボルトで固定すれば、妻梁２０の固定が完了する。
【００５０】
上記手順によれば、図７に示すように、右固定金具２１は、根太掛け１１よりも上方に所定間隔Ｗを設けて配置され、かつ、張出部２０ｃよりも上方において妻梁２０に固定されることとなる。また、妻梁２０も根太掛け１１との間に間隔を設けて固定されることとなる。このため、妻梁２０、根太掛け１１、右固定金具２１のそれぞれが互いに干渉しないように配置されている。
【００５１】
なお、上記説明では屋内側を向いて右側の妻梁２０を固定する手順について説明したが、屋内側を向いて左側の妻梁２０を固定する場合には、上記手順における右固定金具２１と左固定金具２２とを入れ替えて読めば、同様の手順にて作業を行うことができる。
【００５２】
以上説明したように、本実施形態によれば、建物躯体３０に妻梁２０を固定する固定金具２１，２２が、根太掛け１１よりも上方に所定間隔Ｗを設けて建物躯体３０に固定されるとともに、床材１７の端部荷重を受ける張出部２０ｃよりも上方において妻梁２０に固定されている。このため、固定金具２１，２２は、根太掛け１１及び妻梁２０のいずれとも干渉しない位置に配置できるので、妻梁２０に切り欠き加工等が不要であり、出幅切り詰め作業などにより妻梁２０の端部を切断した場合でも新たな加工作業が発生しない。
【００５３】
また、妻梁２０に切り欠き加工が必要ないため、妻梁２０を建物躯体３０に密接させることができ、雨仕舞の良い屋外構造体を提供することができる。
【００５４】
また、屋外構造体１０を傾斜屋根上に設ける場合、傾斜屋根や障害物を避けるために妻梁２０の屋内側端部を切り欠くなどの加工が必要となる場合がある。例えば、窓開口の下端から屋根面までの上下幅が狭い場合、この狭い部分に妻梁２０を入り込ませることができないため、妻梁２０の端部において下部を切り欠き加工する必要がある。このような場合でも、固定金具２１，２２は床材１７よりも下方に突出することはないので、固定金具２１，２２の切り詰め加工が発生する可能性は低い。よって、屋外構造体１０を屋根置きで使用した場合の施工性を向上させることができる。
【００５５】
また、右固定金具２１及び左固定金具２２のうち、一方の固定金具を他方の固定金具の位置出しに使用可能であるので、固定金具が直接的に根太掛け１１と係合しないにもかかわらず、間接的に根太掛け１１を基準とした位置出しを行えるので、容易に位置出しを行うことができる。しかも、このような位置出しを、妻梁２０と支持材１４とを固定するために使用される固定金具で行うため、位置出し用の別の部材を用意する必要がない。
【００５６】
また、右固定金具２１と左固定金具２２とが左右対称に形成されているため、左右の妻梁２０に使用する固定金具をそれぞれ用意しなくても、同じ固定金具を方向を変えて使用すれば左右の妻梁２０に対応できるので、部品の種類を減らすことができ、製造コストの上昇を抑えることができる。
【符号の説明】
【００５７】
１０  バルコニー（屋外構造体）
１１  根太掛け
１１ａ  突出縁部
１２  根太
１３  根太固定金具
１４  柱（支持材）
１４ａ  台部
１５  格子材
１６  前桁
１７  床材
１８  手すり
２０  妻梁
２０ａ  支持部
２０ｂ  化粧部
２０ｃ  張出部
２０ｄ  側壁部
２１  右固定金具
２２  左固定金具
２３  固定片
２４  固定孔
２５  位置出し部
２６  係合部
２７  支持片
２８  妻梁固定用孔
２９  タッピングネジ
３０  建物躯体
Ｗ  間隔
【図１】
2014066108.tif 000003
【図２】
2014066108.tif 000004
【図３】
2014066108.tif 000005
【図４】
2014066108.tif 000006
【図５】
2014066108.tif 000007
【図６】
2014066108.tif 000008
【図７】
2014066108.tif 000009
【図８】
2014066108.tif 000010